(57)【要約】【課題】この発明の目的は、補強土壁の盛土の沈下による壁面材の変形を防止することにある。【解決手段】この発明は、補強土壁における擁壁壁面の抗張部材取付構造において、壁面材は、複数の横線材の両側に複数の各側縦線材を固着して３層構造の溶接金網形状に形成して設け、取付機構は、複数の係合曲部を直線部間に形成した係合具と、一本の線材を長円形状に捲回して複数の取付曲部と複数の連結曲部とを形成した取付具と、取付具の複数の連結曲部に挿通される連結具とを設け、取付具の取付曲部を壁面材の背面側から前面側に突出させ、取付曲部に係合具を挿通して係合曲部を壁面材の正面側に位置する一側縦線材に係合させるとともに直線部に取付曲部を係合させ、壁面材の背面側に突出される連結曲部に抗張部材の一端側を係止させ、連結曲部に連結具を挿通して抗張部材を取り付けたことを特徴とする。【選択図】図１
2006045902.tif 000002
【特許請求の範囲】
【請求項１】
擁壁壁面を形成する壁面材の背面側に取付機構により抗張部材の一端側を取り付けて設け、この抗張部材の他端側を前記壁面材から離間する方向に展張して設け、前記壁面材の背面側に盛土を投入転して前記抗張部材を埋設した補強土壁における擁壁壁面の抗張部材取付構造において、前記壁面材は、横方向に指向し且つ同一平面内に並列した複数の横線材の両側に縦方向に指向し且つ互いに重ならないように並列した複数の各側縦線材を固着して３層構造の溶接金網形状に形成して設け、前記取付機構は、前記３層構造の壁面材の前面側に位置する一側縦線材に夫々摺動可能に係合される複数の係合曲部を直線部間に形成した一本の線材からなる係合具と、一本の線材を長円形状に捲回して長径方向一側に複数の取付曲部を所定間隔で並列して形成するとともに長径方向他側に複数の連結曲部を所定間隔で並列して形成した取付具と、この取付具の所定間隔で並列された複数の連結曲部に挿通される一本の線材からなる連結具とを設け、前記取付機構を構成する取付具の取付曲部を前記壁面材の背面側から前面側に突出させ、この突出された取付曲部に前記係合具を挿通して係合曲部を前記３層構造の壁面材の正面側に位置する一側縦線材に係合させるとともに直線部に取付曲部を係合させ、前記壁面材の背面側に突出される連結曲部に前記抗張部材の一端側を係止させ、この抗張部材の一端側が係止された連結曲部に前記連結具を挿通して抗張部材を取り付けたことを特徴とする補強土壁における擁壁壁面の抗張部材取付構造。
【発明の詳細な説明】
【技術分野】
【０００１】
この発明は補強土壁における擁壁壁面の抗張部材取付構造に係り、特に、盛土の沈下による壁面材の変形を防止することができる補強土壁における擁壁壁面の抗張部材取付構造に関するものである。
【背景技術】
【０００２】
壁面材により盛土を使用して構築される補強土壁には、壁面材として枠材や土嚢を使用し、この壁面材に一端側を連結した抗張部材の他端側を壁面材から離間する方向に展張し、壁面材の背面側に盛土を投入して転圧し、抗張部材を盛土中に埋設して構築するものがある。
【０００３】
従来、補強土壁の構造には、所定角度に折曲した斜面部と底面部とを有する網状部材からなる壁面材の斜面部に略水平方向に帯状部材を固着し、この帯状部材と底面部とをブレス部材により連絡し、壁面材の底面部に形成した鉤部に抗張部材の一端側を連結させた後に、壁面材の底面部上部に盛土を転圧するとともにブレス部材を盛土内に埋設して第１の土壌層を形成し、この第１の土壌層上部に第２以降の土壌層を順次に形成して補強土壁を構築するものがある。
【特許文献１】特許第３２１０７４５号公報
【発明の開示】
【発明が解決しようとする課題】
【０００４】
ところで、従来、補強土壁における抗張部材の取付構造においては、前記特許文献１に示すように、壁面材の底面部に形成した鉤部に抗張部材の一端側を連結し、この抗張部材の他端側を壁面材から離間する方向に展張して盛土中に埋設している。
【０００５】
ところが、この抗張部材の取付構造においては、補強土壁の盛土が沈下した場合に、盛土とともに沈下する抗張部材からの力が、鉤部を介して直接壁面材に作用することになり、壁面材を変形させてしまうという不都合があった。
【課題を解決するための手段】
【０００６】
この発明は、擁壁壁面を形成する壁面材の背面側に取付機構により抗張部材の一端側を取り付けて設け、この抗張部材の他端側を前記壁面材から離間する方向に展張して設け、前記壁面材の背面側に盛土を投入転して前記抗張部材を埋設した補強土壁における擁壁壁面の抗張部材取付構造において、前記壁面材は、横方向に指向し且つ同一平面内に並列した複数の横線材の両側に縦方向に指向し且つ互いに重ならないように並列した複数の各側縦線材を固着して３層構造の溶接金網形状に形成して設け、前記取付機構は、前記３層構造の壁面材の前面側に位置する一側縦線材に夫々摺動可能に係合される複数の係合曲部を直線部間に形成した一本の線材からなる係合具と、一本の線材を長円形状に捲回して長径方向一側に複数の取付曲部を所定間隔で並列して形成するとともに長径方向他側に複数の連結曲部を所定間隔で並列して形成した取付具と、この取付具の所定間隔で並列された複数の連結曲部に挿通される一本の線材からなる連結具とを設け、前記取付機構を構成する取付具の取付曲部を前記壁面材の背面側から前面側に突出させ、この突出された取付曲部に前記係合具を挿通して係合曲部を前記３層構造の壁面材の正面側に位置する一側縦線材に係合させるとともに直線部に取付曲部を係合させ、前記壁面材の背面側に突出される連結曲部に前記抗張部材の一端側を係止させ、この抗張部材の一端側が係止された連結曲部に前記連結具を挿通して抗張部材を取り付けたことを特徴とする。
【発明の効果】
【０００７】
この発明の抗張部材取付構造は、横線材と各側立て線材とを溶接して３層構造の溶接金網形状に形成した壁面材に抗張部材を取り付ける取付機構として、係合曲部を直線部間に形成した係合具と取付曲部及び連結曲部を形成した取付具と連結具とを設け、取付機構を構成する取付具の取付曲部を壁面材の背面側から前面側に突出させ、この突出された取付曲部に係合具を挿通して係合曲部を壁面材の正面側に位置する一側縦線材に係合させるとともに直線部に取付曲部を係合させ、壁面材の背面側に突出される連結曲部に抗張部材の一端側を係止させ、この抗張部材の一端側が係止された連結曲部に連結具を挿通して抗張部材を取り付ける。
これにより、この抗張部材取付構造は、補強土壁の盛土が沈下した場合に、この盛土とともに沈下する抗張部材の力が、連結具を介して取付具の係合具に作用すると、係合具が壁面材の正面側に位置する一側縦線材に沿って下方に摺動することから、壁面材に作用しようとする力を逃がすことができるため、補強土壁の盛土の沈下により壁面材に設計以上の力が作用することを回避することができ、壁面材の変形を防止することができるとともに、抗張部材の連結作業を簡単にすることができる。
【発明を実施するための最良の形態】
【０００８】
この発明は、補強土壁における擁壁壁面の抗張部材取付構造において、補強土壁の盛土の沈下により壁面材に設計以上の力が作用するのを回避するために、３層構造の溶接金網形状に形成した壁面材の正面側に位置する一側縦線材に沿って、取付機構の係合具を摺動可能に設けることによって実現するものである。
以下、図面に基づいてこの発明の実施例を説明する。
【実施例】
【０００９】
図１〜図９は、この発明の実施例を示すものである。図９において、２は地盤、４は基礎、６は支持材、８は壁面材、１０は擁壁壁面、１２は取付機構、１４は抗張部材、１６はアンカー、１８は植生シート、２０は盛土、２２は補強土壁である。
【００１０】
補強土壁２２を構築する際には、地盤２の基礎４上に支持材６により支持した壁面材８を上方に順次に接合して擁壁壁面１０を形成し、この擁壁壁面１０を形成する壁面材８の背面側に取付機構１２により抗張部材１４の一端側を取り付けて設け、この抗張部材１４の他端側を壁面材８から離間する方向に展張してアンカー１６により地盤２に固定する。壁面材８の背面側には、植生シート１８を展設し、盛土２０を投入転圧して抗張部材１４を盛土２０中に埋設することにより、複数の土壌層Ｌ１、Ｌ２、Ｌ３…を順次に施工して補強土壁２２を構築する。
【００１１】
この補強土壁２２における擁壁壁面１０の抗張部材１４の取付構造は、前記壁面材８を、図３に示す如く、格子状の溶接金網形状に形成して設けている。壁面材８は、横方向に指向し且つ同一平面内に並列した複数の横線材２４の両側に、縦方向に指向し且つ互いに重ならないように並列した複数の各側縦線材２６・２８を固着して、横線材２４及び各側縦線材２６・２８間に空間３０を形成した３層構造の溶接金網形状に形成して設けている。各側縦線材２６・２８は、図８に示す如く、上端に各側縦線材係合部２６ａ・２８ａを形成して設けるともに、下端に各側縦線材係合部２６ｂ・２８ｂを形成して設けている。
【００１２】
前記抗張部材１４は、図４、図５に示す如く、ポリオレフィン樹脂等の撓曲可能な板状素材からなり、複数の長孔３２を複数列且つ複数段に配設して形成し、列方向において隣接する各長孔３２・３２の幅間に複数の長帯部３４を形成して設けるとともに、段方向において隣接する各長孔３２・３２の長さ間に複数の短帯部３６を形成して設けている。
【００１３】
前記取付機構１２は、壁面材８の背面側に抗張部材１４を連結するものであり、図５に示す如く、係合具３８と取付具４０と連結具４２とを設けている。
【００１４】
前記係合具３８は、図７示す如く、３層構造の壁面材８の前面側に位置する一側縦線材２６に夫々摺動可能に係合される複数の係合曲部４４を直線部４６間に形成した一本の線材からなる。前記取付具４０は、図６に示す如く、一本の線材を長円形状に捲回して、この長円形状の長径方向一側に複数の取付曲部４８を所定間隔で並列して形成するとともに長径方向他側に複数の連結曲部５０を所定間隔で並列して形成して設け、長円形状の短径方向両側に取付曲部４８及び連結曲部５０を連絡する直線部５２を形成して設けている。前記連結具４２は、図５に示す如く、取付具４０の所定間隔で並列された複数の連結曲部５０に挿通される一本の線材からなる。
【００１５】
抗張部材１４の取付構造は、図３に示す如く、取付機構１２を構成する取付具４０の取付曲部４８を壁面材８の背面側から前面側に突出させ、この突出された取付曲部４８に係合具３８を挿通して係合曲部４４を３層構造の壁面材８の正面側に位置する一側縦線材２６に摺動可能に係合させるとともに直線部４６に取付曲部４８を係合させる。壁面材８の背面側に突出される取付具４０の連結曲部５０には、図４に示す如く、抗張部材１４の一端側の長帯部３４を湾曲させて長孔３２を挿入することにより係止させ、この抗張部材１４の一端側が係止された連結曲部５０に連結具４２を挿通することにより、図１・図２に示す如く、壁面材８の背面側に取付機構１２により抗張部材１４を取り付ける。
【００１６】
これにより、この抗張部材１４の取付構造は、補強土壁２２の盛土２０が沈下した場合に、この盛土２０とともに沈下する抗張部材１４を連結した取付機構１２の係合具３８が、一側縦線材２６に沿って下方向に摺動可能となり、壁面材８に作用しようとする力を逃がすことができるものである。
【００１７】
次に、この実施例の作用を説明する。
【００１８】
補強土壁２２を構築する際には、図９に示す如く、地盤２に凹設した基礎４上に支持材６により壁面材８を支持して水平方向に並べて設置して擁壁壁面１０を形成し、設置した壁面材８の上下方向中間部位まで盛土２０を投入転圧して埋設する。
【００１９】
基礎４上に設置した壁面材８には、図３に示す如く、壁面材８の背面側から横線材２４及び各側縦線材２６・２８間の空間３０に取付具４０の取付曲部４８を挿入して前面側に突出させ、この突出された取付曲部４８に係合具３８を挿通して、係合曲部４４を３層構造の壁面材８の正面側に位置する一側縦線材２６に摺動可能に係合させるとともに直線部４６に取付曲部４８を係合させる。
【００２０】
壁面材８の背面側に突出される取付具４０の連結曲部５０には、図４に示す如く、抗張部材１４の一端側の長帯部３４を湾曲させて長孔３２を挿入することにより係止させ、この抗張部材１４の一端側が係止された連結曲部５０に連結具４２を挿通することにより、図１・図２に示す如く、壁面材８の背面側に取付機構１２により抗張部材１４の一端側を取り付ける。抗張部材１４の他端側は、壁面材８から離間する方向に展張してアンカー１６により地盤２に固定する。
【００２１】
下方に位置する最下段の壁面材８には、上方の壁面材８を係合させる。即ち、下方の壁面材８と上方の壁面材とは、図８に示す如く、下方の壁面材８の各側縦線材２６・２８上端の各側縦線材係合部２６ａ・２８ａを上方の壁面材８下部の横線材２４に係合させるとともに、上方の壁面材８の各側縦線材２６・２８下端の各側縦線材係合部２６ｂ・２８ｂを下方の壁面材８上部の横線材２４に係合させ、擁壁壁面１０を形成する。
【００２２】
下方の壁面材８と上方の壁面材８との背面側には、植生シート１８を展設し、上方の壁面材８の上下方向中間部位まで盛土２０を投入転圧して抗張部材１４を盛土２０中に埋設することにより、第１の土壌層Ｌ１を施工する。
【００２３】
次に、第１の土壌層Ｌ１の擁壁壁面１０を形成する壁面材８の背面側に取付機構１２により抗張部材１４の一端側を取り付けて設け、この抗張部材１４の他端側を壁面材８から離間する方向に展張してアンカー１６により地盤２に固定し、壁面材８の背面側に植生シート１８を展設し、盛土２０を投入転圧して抗張部材１４を盛土２０中に埋設することにより、第２の土壌層Ｌ２を施工する。
【００２４】
その後、第２の土壌層Ｌ２上に第３の土壌層Ｌ３を施工し、さらに最上部の土壌層Ｌｎまで施工を実施することにより、層複数の土壌層Ｌ１、Ｌ２、Ｌ３…を順次に施工して補強土壁２２を構築する。
【００２５】
なお、この実施例の補強土壁２２においては、図８に示す如く、擁壁壁面１０を形成する壁面材８の横線材２４の背面側に支持部材５４の一端側を取り付けて設け、この支持部材５４の他端側を壁面材８から離間する斜め下方向に延設してアンカー１６により地盤２に固定している。
【００２６】
この補強土壁１０における抗張部材１４の取付構造においては、補強土壁１０の盛土２０が沈下した場合に、この盛土２０とともに沈下する抗張部材１４の力が連結具４２を介して取付具４０の係合具３８に作用すると、係合具３８の係合曲部４４が壁面材８の正面側に位置する一側縦線材２６に沿って図２に矢印Ｍで示す下方に摺動することから、壁面材８に作用しようとする力を逃がすことができる。
【００２７】
このため、この抗張部材１４の取付構造は、補強土壁１０の盛土２０の沈下により壁面材８に設計以上の力が作用することを回避することができ、壁面材８の変形を防止することができるとともに、抗張部材１４の連結作業を簡単にすることができる。
【００２８】
また、取付具４０は、長円形状に捲回した一本の線材の長径方向一側に複数の取付曲部４８を所定間隔で並列して形成するとともに、長径方向他側に複数の連結曲部５０を所定間隔で並列して形成して設けていることにより、製作を容易とすることができ、また、構成が簡単で、廉価とすることができる。
【００２９】
なお、この発明は、上述実施例に限定されることなく、種々応用改変が可能である。例えば、図１０に示す抗張部材１４の取付構造は、取付機構１２を構成する取付具４０の取付曲部４８及び連結曲部５０を連絡する直線部５２に、折り返し屈曲される屈曲部５６を形成して設けたものである。
【００３０】
この抗張部材１４の取付構造は、補強土壁１０の盛土２０が沈下した場合に、この盛土２０とともに沈下する抗張部材１４の力が連結具４２を介して取付具４０に作用すると、取付曲部４８及び連結曲部５０を連絡する直線部５２に形成した屈曲部５６が伸長されることから、係合具３８を介して壁面材８に作用しようとする力を逃がすことができる。
【００３１】
このため、この抗張部材１４の取付構造は、補強土壁１０の盛土２０の沈下により壁面材８に設計以上の力が作用することを回避することができ、壁面材８の変形を防止することができるとともに、抗張部材１４の連結作業を簡単にすることができる。
【産業上の利用可能性】
【００３２】
この発明の補強土壁における擁壁壁面の抗張部材取付構造は、補強土壁の盛土の沈下により壁面材に設計以上の力が作用するのを回避するために、３層構造の溶接金網形状に形成した壁面材の正面側に位置する一側縦線材に沿って取付機構の係合具を摺動可能に設けることによって実現するものであり、壁面材に摺動可能に取り付ける取付機構の係合具を、壁面材に限られず他の物の連結にも適用させることができる。
【図面の簡単な説明】
【００３３】
【図１】実施例を示す壁面材に取付機構により抗張部材を連結した状態の要部平面図である。
【図２】壁面材に取付機構により抗張部材を連結した状態の要部側面図である。
【図３】壁面材に取付具を係合具により係合した状態の一部省略斜視図である。
【図４】取付具に抗張部材を連結具により連結した状態の一部省略斜視図である。
【図５】壁面材に抗張部材を取付機構により取り付ける際の分解した平面図である。
【図６】（Ａ）は取付具の側面図、（Ｂ）は取付具の平面図である。
【図７】係合具の平面図である。
【図８】補強土壁の詳細を示す拡大断面図である。
【図９】補強土壁の断面図である。
【図１０】変形例を示す壁面材に取付機構により抗張部材を連結した状態の要部平面図である。
【符号の説明】
【００３４】
２  地盤
８  壁面材
１０  擁壁壁面
１２  取付機構
１４  抗張部材
２０  盛土
２２  補強土壁
２４  横線材
２６  一側縦線材
２８  他側縦線材
３０  空間
３２  長孔
３４  長帯部
３６  短帯部
３８  係合具
４０  取付具
４２  連結具
４４  係合曲部
４６  直線部
４８  取付曲部
５０  連結曲部
５２  直線部
【図１】
2006045902.tif 000003
【図２】
2006045902.tif 000004
【図３】
2006045902.tif 000005
【図４】
2006045902.tif 000006
【図５】
2006045902.tif 000007
【図６】
2006045902.tif 000008
【図７】
2006045902.tif 000009
【図８】
2006045902.tif 000010
【図９】
2006045902.tif 000011
【図１０】
2006045902.tif 000012